(57)【要約】【課題】  ２種類の内容物を吐出する際の割合を自由に変えられ、また内容器の無駄のない交換作業が可能な振り出し容器を提供する。【解決手段】  振り出し容器１は、上端部に上側開口部を有して有底筒状の外容器１０と、内部が中空で上端部に複数の孔部４１ｂを有して外容器１０内に収容される複数の内容器４０と、外容器１０に収容された複数の内容器１０の上端部と上側開口部を覆い、外容器１０の上部に周方向に回動可能に装着されるキャップ５０を有する。キャップ５０は、複数の孔部４１ｂに対向配置されて内容器４０内の内容物を排出させる排出口５５と、排出口５５を開閉可能な蓋体５７を有する。排出口５５は、キャップ５０の回動にともなって、複数の内容器４０のいずれかの複数の孔部４１ｂに対向する第１位置Ｐ１と、外容器１０内に周方向に隣接配置された２つの内容器２０の夫々の複数の孔部４１ｂに跨る第２位置Ｐ２、Ｐ２’に移動可能である。【選択図】  図６
2020104900.tif 000002
【特許請求の範囲】
【請求項１】
上端部に上側開口部を有して有底筒状の外容器と、
内部が中空の箱状であり上端部に複数の孔部を有し、複数の前記孔部が上方を向いた姿勢で前記外容器内に収容される複数の内容器と、
前記外容器に収容された複数の前記内容器の前記上端部及び前記上側開口部を覆い、前記外容器の上部に周方向に回動可能に装着されるキャップと、を有し、
前記キャップは、
前記内容器の複数の前記孔部に対向配置されて前記内容器に収容される内容物を排出させる排出口と、
前記排出口を開閉可能な蓋体と、を有し、
前記キャップの前記排出口は、前記キャップの回動にともなって、複数の前記内容器のいずれかの前記上端部に形成された複数の前記孔部に対向する第１位置と、前記外容器内に周方向に隣接して配置された２つの前記内容器の夫々の前記上端部に形成された複数の前記孔部に跨る第２位置に移動可能である
ことを特徴とする振り出し容器。
【請求項２】
前記内容器は、前記外容器内に着脱可能に装着される
ことを特徴とする請求項１に記載の振り出し容器。
【請求項３】
前記外容器は、内側に前記内容器を収容する収容空間部を有し、
前記収容空間部内には、前記収容空間部を周方向に仕切る仕切板が設けられ、
前記仕切板により前記収容空間部が複数の収容空間に区画形成され、
複数の前記収容空間の夫々に前記内容器が収容され、
前記内容器は、前記上端部に前記上側開口部に沿って延びる頂板部を有し、
前記頂板部に複数の前記孔部が互いに間隔を有して配置される
ことを特徴とする請求項１又は２に記載の振り出し容器。
【請求項４】
前記内容器は、前記収容空間の上方から見た断面形状と相似する形状を有する
ことを特徴とする請求項３に記載の振り出し容器。
【請求項５】
前記キャップは、
前記外容器の前記上側開口部を覆う円板状の上板部と、
前記上板部の周縁部から下方へ延びる筒状のキャップ周壁部と、を有し、
前記キャップ周壁部は、前記外容器の側壁の上部外面に嵌合され、
前記キャップ周壁部及び前記上部外面のいずれか一方には、複数の突起部が設けられ、前記キャップ周壁部及び前記上部外面のいずれか他方には、前記突起部と係合して前記外容器に対して前記キャップを所定位置に位置決めする係止部が設けられる
ことを特徴とする請求項１から３のいずれか１項に記載の振り出し容器。
【請求項６】
複数の前記突起部は、
前記排出口を前記第１位置に位置決めする第１突起部と、
前記排出口を前記第２位置に位置決めする第２突起部と、を有する
ことを特徴とする請求項５に記載の振り出し容器。
【請求項７】
前記第２突起部は、前記排出口が周方向に隣接する２つの前記内容器の夫々の前記上端部に形成された複数の前記孔部に対向する面積の割合が所定の割合になる前記第２位置に前記排出口を位置決めする
ことを特徴とする請求項６に記載の振り出し容器。
【請求項８】
前記外容器は、
前記内容器を収容する筒状の容器本体部と、
前記容器本体部の下端に開口する下側開口部を覆って前記容器本体部の下端部に着脱可能に装着される底蓋と、を有し、
前記内容器は、下端部に径方向外側へ突出するフランジ部を有し、
前記内容器は、前記フランジ部の上面が前記容器本体部の下端部に接触した状態で前記容器本体部内に収容される
ことを特徴とする請求項３に記載の振り出し容器。
【請求項９】
前記容器本体部の側壁の下端部には、下側が開口するとともに前記収容空間に連通して上方へ切り欠かれた切り欠き部が前記収容空間の径方向に対向する位置に一対設けられる
ことを特徴とする請求項８に記載の振り出し容器。
【請求項１０】
前記底蓋は、
前記下側開口部を覆う円板状の底板部と、
前記底板部の周縁部から上方へ延びる底蓋周壁部と、を有し、
前記底蓋は、前記容器本体部の下端部に装着された状態で前記底板部の内面が前記フランジ部の下面に接触する
ことを特徴とする請求項９に記載の振り出し容器。
【請求項１１】
前記底蓋は、前記底蓋周壁部の内面が前記容器本体部の下端部の外面に螺合して装着される
ことを特徴とする請求項１０に記載の振り出し容器。
【発明の詳細な説明】
【技術分野】
【０００１】
本発明は、振り出し容器に関する。
【背景技術】
【０００２】
従来、塩を含む調味料として、化学調味料や香辛料等が用いられている。これらの調味料には、醤油やソース等の液状のものもあるが、粒状、粉抹状のものも多い。これらの調味料は、通常、専用の小容器内に個別に収容されて台所や食卓に備えられる。
【０００３】
特に、塩、コショウ、ごま等は、個人の好みに応じて料理の味を整えるために、別々の容器に収容されて食卓等に備えられることが多い。これら塩、コショウ、ごま等を食卓等に置く場合、それぞれが別容器であると、食卓の載置スペースが狭くなる。
【０００４】
そこで、一つの容器に複数の調味料を収納可能な振り出し容器が提案されている（特許文献１参照）。特許文献１に記載の振り出し容器は、有底筒状の容器本体内に周方向に間隔を有して上下方向に延びる仕切壁が設けられて、複数の収納空間が区画形成される。複数の収納空間内には、異なる種類の内容物が収容される。複数の収納空間の上方には、それぞれの内容物に応じた排出口が形成された中蓋が設けられる。容器本体の上部には、中蓋を覆う外蓋が周方向に回動自在に装着される。外蓋には、排出口に連通する開口と、開口を開閉可能な開閉蓋が設けられる。
【先行技術文献】
【特許文献】
【０００５】
【特許文献１】特開平１１−３３２７１９号公報
【発明の概要】
【発明が解決しようとする課題】
【０００６】
この特許文献１に記載の振り出し容器は、周方向に隣接する排出口が異なる大きさや形状を有している。すなわち、一方の排出口は複数の孔部が中蓋に広がって設けられ、他方の排出口は孔部よりも大きな開口面積を有して中蓋の周方向中央部に開口する。ここで、周方向に隣接する２種類の内容物を吐出する場合、外蓋を回動させて開口を周方向に隣接する２種類の排出口を跨ぐ位置に移動させると、２種類の排出口の夫々に対向する開口の一方の割合が他方と比べて比較的に小さくなる虞がある。このため、特許文献１に記載の振り出し容器は、蓋を回動させても２種類の内容物を吐出する際の割合を自由に変えることができない場合がある。
【０００７】
また、特許文献１に記載の振り出し容器は、容器本体内が仕切り壁によって仕切られた複数の収容空間の夫々に異なる種類の内容物が収容されている。このため、ある収容空間内に収容された内容物が無くなった場合には、外蓋を取り外し、内容物が無くなった収容空間を塞ぐ中蓋を取り外して、内容物が無くなった収容空間内に内容物を補充する作業が必要になる。この補充作業は作業者にとって煩わしい。そこで、ある収容空間内に収容された内容物が無くなった場合、他の収容空間内に収容された内容物が残っていても、全ての収容空間内に内容物が収容された新たな容器本体が必要となる虞が生じる。
【０００８】
本発明は、上記した従来技術における問題点を解消すべく、２種類の内容物を吐出する際の割合を自由に変えることができ、また内容物が無くなった場合、無駄のない交換が可能な振り出し容器を提供することを課題とする。
【課題を解決するための手段】
【０００９】
上記課題を解決するための手段のうち、本発明の主たる手段は、上端部に上側開口部を有して有底筒状の外容器と、内部が中空の箱状であり上端部に複数の孔部を有し、複数の前記孔部が上方を向いた姿勢で前記外容器内に収容される複数の内容器と、前記外容器に収容された複数の前記内容器の前記上端部及び前記上側開口部を覆い、前記外容器の上部に周方向に回動可能に装着されるキャップと、を有し、前記キャップは、前記内容器の複数の前記孔部に対向配置されて前記内容器に収容される内容物を排出させる排出口と、前記排出口を開閉可能な蓋体と、を有し、前記キャップの前記排出口は、前記キャップの回動にともなって、複数の前記内容器のいずれかの前記上端部に形成された複数の前記孔部に対向する第１位置と、前記外容器内に周方向に隣接して配置された２つの前記内容器の夫々の前記上端部に形成された複数の前記孔部に跨る第２位置に移動可能であることを特徴とする振り出し容器と云うものである。
【００１０】
排出口は、キャップの回動にともなって、複数の内容器のいずれかの上端部に形成された複数の孔部に対向する第１位置と、外容器内に周方向に隣接して配置された２つの内容器の夫々の上端部に形成された複数の孔部に跨る第２位置に移動可能である。このため、排出口が第１位置に移動すると、１種類の内容物を排出口から吐出させることができる。また、排出口が第２位置に移動すると、周方向に隣接する内容器内に異なる種類の内容物が収容されている場合には、２種類の内容物を排出口から同時に吐出させることができる。また、第２位置において、排出口が２つの内容器の夫々の上端部に形成された複数の孔部に跨る位置を変えると、排出口が２つの内容器の夫々の複数の孔部に対向する割合を変えることができる。
【００１１】
また、前記内容器は、前記外容器内に着脱可能に装着されてもよい。
【００１２】
この場合、内容器が外容器内に着脱可能に装着されることで、内容器内に収容される内容物が無くなった場合、この内容物が無くなった内容器を外容器から抜脱して、内容物が収容された新たな内容器と交換することができる。すなわち、内容物が無くなった内容器のみを交換することができる。よって、内容器の交換時に、内容物が残っている内容器と同じ内容物が収容された内容器を用意する必要はなく、無駄のない交換が可能となる。
【００１３】
また、前記外容器は、内側に前記内容器を収容する収容空間部を有し、前記収容空間部内には、前記収容空間部を周方向に仕切る仕切板が設けられ、前記仕切板により前記収容空間部が複数の収容空間に区画形成され、複数の前記収容空間の夫々に前記内容器が収容され、前記内容器は、前記上端部に前記上側開口部に沿って延びる頂板部を有し、前記頂板部に複数の前記孔部が互いに間隔を有して配置されてもよい。
【００１４】
この場合、内容器は、仕切板により区画形成された複数の収容空間の夫々に収容されるので、外容器に対して複数の内容器を常に同一位置に配置することができる。また、複数の孔部は頂板部に互いに間隔を有して配置されるので、複数の孔部を頂板部に広範囲に配置することができる。
【００１５】
また、前記内容器は、前記収容空間の上方から見た断面形状と相似する形状を有してもよい。
【００１６】
この場合、内容器は、収容空間の上方から見た断面形状と相似する形状を有しているので、内容器の外面を収容空間を形成する外容器の内面及び仕切板の外面に沿って配置することができる。このため、内容器と収容空間との間の隙間をより小さくすることができ、収容空間内に収容される内容器の容積をより増大することができる。また、外容器に対する内容器の径方向の位置決めを容易にすることができる。
【００１７】
また、前記キャップは、前記外容器の前記上側開口部を覆う円板状の上板部と、前記上板部の周縁部から下方へ延びる筒状のキャップ周壁部と、を有し、前記キャップ周壁部は、前記外容器の側壁の上部外面に嵌合され、前記キャップ周壁部及び前記上部外面のいずれか一方には、複数の突起部が設けられ、前記キャップ周壁部及び前記上部外面のいずれか他方には、前記突起部と係合して前記外容器に対して前記キャップを所定位置に位置決めする係止部が設けられてもよい。
【００１８】
この場合、キャップ周壁部及び上部外面のいずれか一方に複数の突起部が設けられ、キャップ周壁部及び前記上部外面のいずれか他方に突起部と係合して外容器に対してキャップを所定位置に位置決めする係止部が設けられる。このため、キャップを回動させて複数の突起部のいずれかが係止部と係合することで、外容器に対してキャップを所定位置に容易に移動させることができる。
【００１９】
また、複数の前記突起部は、前記排出口を前記第１位置に位置決めする第１突起部と、前記排出口を前記第２位置に位置決めする第２突起部と、を有してもよい。
【００２０】
この場合、複数の突起部は、排出口を第１位置に位置決めする第１突起部と、排出口を第２位置に位置決めする第２突起部と、を有する。このため、第１突起部が係止部に係合すると、排出口は第１位置に移動し、第２突起部が係止部に係合すると、排出口は第２位置に移動する。このため、排出口が第１位置及び第２位置への移動を容易にすることができる。
【００２１】
また、前記第２突起部は、前記排出口が周方向に隣接する２つの前記内容器の夫々の前記上端部に形成された複数の前記孔部に対向する面積の割合が所定の割合になる前記第２位置に前記排出口を位置決めしてもよい。
【００２２】
この場合、第２突起部は、排出口が周方向に隣接する２つの内容器の夫々の上端部に形成された複数の前記孔部に対向する面積の割合が所定の割合になる第２位置に排出口を位置決めする。このため、キャップを回動させて、第２突起部を係止部に係合させると、２つの内容器の夫々の上端部に形成された複数の孔部に対向する排出口の面積の割合を所定の割合にすることができる。
【００２３】
また、前記外容器は、前記内容器を収容する筒状の容器本体部と、前記容器本体部の下端に開口する下側開口部を覆って前記容器本体部の下端部に着脱可能に装着される底蓋と、を有し、前記内容器は、下端部に径方向外側へ突出するフランジ部を有し、前記内容器は、前記フランジ部の上面が前記容器本体部の下端部に接触した状態で前記容器本体部内に収容されてもよい。
【００２４】
この場合、内容器は、フランジ部の上面が容器本体部の下端部に接触した状態で容器本体部内に収容されるので、容器本体部に対する内容器の上下方向上側の位置決めを容易にすることができる。
【００２５】
また、前記容器本体部の側壁の下端部には、下側が開口するとともに前記収容空間に連通して上方へ切り欠かれた切り欠き部が前記収容空間の径方向に対向する位置に一対設けられてもよい。
【００２６】
この場合、容器本体部の側壁の下端部には、下側が開口するとともに収容空間に連通して上方へ切り欠かれた切り欠き部が径方向に対向する位置に一対設けられているので、収容空間内に収容された内容器の下部は切り欠き部を介して露出する。このため、内容器を容器本体部から抜脱する場合には、一対の切り欠き部を介して内容器の下部を把持して下方へ移動させることで、内容器を容器本体部から容易に抜脱することができる。
【００２７】
また、前記底蓋は、前記下側開口部を覆う円板状の底板部と、前記底板部の周縁部から上方へ延びる底蓋周壁部と、を有し、前記底蓋は、前記容器本体部の下端部に装着された状態で前記底板部の内面が前記フランジ部の下面に接触してもよい。
【００２８】
この場合、底蓋は、容器本体部の下端部に装着された状態で底板部の内面がフランジ部の下面に接触するので、容器本体部に対する内容器の上下方向の位置決めを確実にすることができる。
【００２９】
また、底蓋は、前記底蓋周壁部の内面が前記容器本体部の下端部の外面に螺合して装着されてもよい。
【００３０】
この場合、底蓋は、底蓋周壁部の内面が容器本体部の下端部の外面に螺合して装着されるので、底蓋を容器本体部の下端部に対して回転させると、底蓋の内面は上昇しながら底蓋が容器本体部の下端部に螺合される。このため、底蓋の内面を内容器のフランジ部を容器本体部の下端部に確実に接触させた状態で、底蓋を容器本体部の下端部に装着することができる。
【発明の効果】
【００３１】
本発明によれば、２種類の内容物を吐出する際の割合を自由に変えることができ、また内容物が無くなった場合、無駄のない交換が可能な振り出し容器を提供することができる。
【図面の簡単な説明】
【００３２】
【図１】一実施形態に係る振り出し容器の分解斜視図である。
【図２】一実施形態に係る外容器内に内容器が収容された外容器の部分斜視図である。
【図３】内容器の斜視図である。
【図４】図４(a)は、外容器の側壁の上部に設けられた係止部を有した外容器の部分斜視図であり、図４(b)は、外容器の側壁の下部に設けられた切り欠き部を有した外容器の部分斜視図である。
【図５】キャップの内面に設けられた突起部を有するキャップの下側斜視図である。
【図６】キャップの排出口と内容器の孔部との位置関係を示す振り出し容器の上側部分斜視図である。
【発明を実施するための形態】
【００３３】
以下、図面を参照しながら、本発明の実施形態に係る振り出し容器について説明する。本実施形態では、塩、コショウ、ごま等の調味料が収容される振り出し容器について説明する。
【００３４】
また、図面においては、適宜３次元直交座標系としてＸＹＺ座標系を示す。ＸＹＺ座標系において、Ｚ軸方向は、図１に示す振り出し容器の中心軸と平行な方向とする。Ｘ軸方向は、図１に示す振り出し容器の短手方向と平行な方向とする。Ｙ軸方向は、Ｘ軸方向とＺ軸方向との両方と直交する方向とする。
【００３５】
また、図面においては、振り出し容器の中心軸を容器軸Ｊと記述し、容器軸Ｊに平行な方向を単に「軸方向」と記述し、容器軸Ｊを中心とする径方向を単に「径方向」と記述し、容器軸Ｊを中心とする周方向、すなわち、容器軸Ｊの軸周りを単に「周方向」と記述する。また、容器軸方向のうち、Ｚ軸方向のプラス側（＋Ｚ側）を「上側」と記述し、Ｚ軸方向のマイナス側（−Ｚ側）を「下側」と記述する。
【００３６】
＜全体構成＞
図１は、一実施例に係る振り出し容器の分解斜視図である。図２は、一実施形態に係る外容器内に内容器が収容された外容器の部分斜視図である。図３は、内容器の斜視図である。本実施形態の振り出し容器１は、図１、図２、図３に示すように、外容器１０と、内容器４０と、キャップ５０とを有する。外容器１０は、上端部に上側開口部１０ａを有して有底筒状である。内容器４０は、内部が中空の箱状であり上端部に複数の孔部４１ｂを有し、複数の孔部４１ｂが上方を向いた姿勢で外容器１０内に収容される。キャップ５０は、外容器１０に収容された複数の内容器４０の上端部及び上側開口部１０ａを覆い、外容器１０の上部に周方向に回動可能に装着される。以下、構成部材毎に詳細に説明する。
【００３７】
＜外容器１０＞
外容器１０は、図１及び図２に示すように、例えば合成樹脂（例えば、ポリエチレンテレフタレート（ＰＥＴ），ポリプロピレン（ＰＰ）、ポリエチレン(ＰＥ)のインジェクション成形）、紙、又は合成樹脂と紙との積層体等で形成される。外容器１０は、内側に内容器４０を収容する収容空間部１０ｂを有する。収容空間部１０ｂ内には、収容空間部１０ｂを周方向に仕切る仕切板１２が設けられる。仕切板１２により収容空間部１０ｂが複数の収容空間１０ｂ１，１０ｂ２に区画形成される。複数の収容空間１０ｂ１，１０ｂ２の夫々には、内容器４０が収容される。
【００３８】
本実施形態では、収容空間部１０ｂは２つの収容空間１０ｂ１，１０ｂ２に区画形成される。また、外容器１０内には、２つの内容器４０が収容される。外容器１０は、内容器４０を収容する筒状の容器本体部１４と、容器本体部１４の下端に開口する下側開口部１０ｃを覆って容器本体部１４の下端部に着脱可能に装着される底蓋２２と、を有する。
【００３９】
（容器本体部１４）
図４(b)は、外容器の側壁の下部に設けられた切り欠き部を有した外容器の部分斜視図である。容器本体部１４は、図２に示すように、円筒状であり、内側に内容器４０を収容する収容空間部１０ｂが形成される。収容空間部１０ｂ内には、容器本体部１４の直径方向に延びるとともに上下方向に延びる板状の仕切板１２が形成される。仕切板１２の上端部は、容器本体部１４の上端部と略同一面上に位置する。仕切板１２の下端部は、容器本体部１４の下端部と略同一面上に位置する。このため、収容空間部１０ｂには、仕切板１２を中央にして径方向外側に、平面視において半円形状の２つの収容空間１０ｂ１，１０ｂ２が形成される。
【００４０】
容器本体部１４の上部には、中心軸が容器軸Ｊと同軸上であって容器本体部１４の上下方向中間部の外径よりも小径な上側筒部１５が形成される。上側筒部１５の外面には、周方向に沿って延びる係合突起部１６が形成される。係合突起部１６は、上側筒部１５の上下方向の中央下側に形成される。係合突起部１６は、キャップ５０の回動を案内にするとともに、容器本体部１４からキャップ５０が外れるのを防止する。キャップ５０の詳細は後述する。
【００４１】
容器本体部１４の下部には、中心軸が容器軸Ｊと同軸上であって容器本体部１４の上下方向中間部の外径よりも小径な下側筒部１７が形成される。下側筒部１７の外面には、雄ねじ部１８が形成される。雄ねじ部１８は、底蓋２２を下側筒部１７に螺合する。
【００４２】
容器本体部１４の側壁１４ａの下端部には、図２及び図４（ｂ）に示すように、下側が開口するとともに収容空間１０ｂ１、１０ｂ２に連通して上方へ切り欠かれた切り欠き部１９が収容空間１０ｂ１、１０ｂ２の径方向に対向する位置に一対設けられる。本実施形態では、切り欠き部１９は、直径方向に延びる仕切板１２の両側端部と下側筒部１７とが交差する位置の近傍であって、この交差する位置から周方向一方側及び他方側に延びる下側筒部１７に形成される。このため、一対の切り欠き部１９は、平面視において下側筒部１７の直径方向の略両側に位置する。切り欠き部１９は、側面視において長方形状である。
【００４３】
（底蓋２２）
底蓋２２は、図１に示すように、下側開口部１０ｃを覆う円板状の底板部２２ａと、底板部２２ａの周縁部から上方へ延びる底蓋周壁部２２ｂと、を有する。底板部２２ａの外径は、容器本体部１４の外径と略同一である。底蓋周壁部２２ｂの上下方向長さＬは、下側筒部１７の上下方向長さと同一又は少し長い大きさを有する。底蓋周壁部２２ｂの内面には、下側筒部１７に形成された雄ねじ部１８に螺合する雌ねじ部２３が形成される。このため、底蓋は２２、底蓋周壁部２２ｂの内面が下側筒部１７の外面に螺合して装着される。
【００４４】
＜内容器４０＞
内容器４０は、図２及び図３に示すように、例えば合成樹脂（例えば、ポリエチレンテレフタレート（ＰＥＴ），ポリプロピレン（ＰＰ）、ポリエチレン(ＰＥ)のインジェクション成形又はブロー成形）等で形成され、上端部に上側開口部１０ａに沿って延びる頂板部４１ａを有する。頂板部４１ａには、複数の孔部４１ｂが互いに間隔を有して配置される。また、内容器４０は、収容空間１０ｂ１、１０ｂ２の上方から見た断面形状と相似する形状を有する。このため、内容器４０と収容空間１０ｂ１、１０ｂ２との間の隙間をより小さくすることができ、収容空間１０ｂ１、１０ｂ２内に収容される内容器４０の容積をより増大することができる。また、外容器１０に対する内容器４０の径方向の位置決めを容易にすることができる。
【００４５】
本実施形態では、内容器４０は、上下方向に延びて内部が中空な有頂筒状の内容器本体部４１と、内容器本体部４１の下側部に装着された内容器蓋部４３とを有する。なお、内容器４０は、前述した構成に限るものではく、有底筒状の内容器本体部と、内容器本体部の上部開口に装着される内容器蓋部を有したものでもよい。
【００４６】
内容器本体部４１内に塩、コショウ等の調味料が収容される。内容器本体部４１は、平面視において半円形状に形成される。内容器本体部４１の上端部に頂板部４１ａが形成される。頂板部４１ａは、平面視において半円形状に形成される。内容器本体部４１の大きさは、収容空間１０ｂ１、１０ｂ２よりも僅かに小さい。このため、内容器４０は収容空間１０ｂ１、１０ｂ２に対して着脱可能である。
【００４７】
頂板部４１ａに設けられた孔部４１ｂは、孔部４１ｂが下方へ向いた状態で内容器４０を上下方向に振ると、塩、コショウ等の調味料が孔部４１ｂから吐出可能な大きさを有する。この孔部４１ｂは、隣接する他の孔部４１ｂとの間に間隔を有して設けられる。このため、複数の孔部４１ｂを頂板部４１ａに広範囲に配置することができる。内容器本体部４１の下端部には内容器本体部４１内の内部空間に連通する下側開口部４１ｃが開口する。下側開口部４１ｃは、半円形状に開口する。
【００４８】
下側開口部４１ｃには、内容器蓋部４３が装着される。内容器蓋部４３は、下側開口部４１ｃを覆う蓋部本体４４と、蓋部本体４４の周縁部の内面から上方へ突出して内容器本体部４１の内面に嵌合する筒状の嵌合部と、を有する。蓋部本体４４は、内容器本体部４１の平面視形状と相似形である。
【００４９】
内容器４０は、下端部に径方向外側へ突出するフランジ部４４ａを有する。本実施形態では、蓋部本体４４は、内容器本体部４１の湾曲する側面４１ｄよりも外側へ突出するとともに側面４１ｄに沿って周方向に帯状に延びる。この突出した部分がフランジ部４４ａである。フランジ部４４ａの突出長さは、下側筒部１７の側壁の厚さと略同じ大きさを有する。このため、内容器４０は、フランジ部４４ａの上面が容器本体部１４の下端部に接触した状態で容器本体部１４内に収容される。したがって、容器本体部１４に対する内容器４０の上下方向上側の位置決めを容易にすることができる。なお、内容器４０は、外容器１０の下側開口部１０ｃから容器本体部１４の収容空間１０ｂ１、０１ｂ２内に挿入される。
【００５０】
前述したように、底蓋２２は、容器本体部１４の下端部に螺合して装着されるが、底蓋２２は、容器本体部１４の下端部に装着された状態で底板部２２ａの内面が内容器４０のフランジ部４４ａの下面に接触する。このため、容器本体部１４に対する内容器４０の上下方向の位置決めを確実にすることができる。また、底蓋２２は、底蓋周壁部２２ｂの内面が容器本体部１４の下端部の外面に螺合して装着されるので、底蓋２２を容器本体部１４の下端部に対して回転させると、底蓋２２の内面は上昇しながら底蓋２２が容器本体部１４の下端部に螺合される。このため、底蓋２２の内面が内容器４０のフランジ部４４ａを容器本体部１４の下端部に確実に接触させた状態で、底蓋２２を容器本体部１４の下端部に装着することができる。
【００５１】
＜キャップ５０＞
図４(a)は、外容器の側壁の上部に設けられた係止部を有した外容器の部分斜視図である。図５は、キャップの内面に設けられた突起部を有したキャップの下側斜視図である。図６は、キャップの排出口と内容器の孔部との位置関係を示す振り出し容器の上側部分斜視図である。キャップ５０は、図１及び図５に示すように、外容器１０の上側開口部１０ａを覆う円板状の上板部５１と、上板部５１の周縁部から下方へ延びる筒状のキャップ周壁部５３と、を有する。キャップ周壁部５３は、外容器１０の側壁の上部外面に嵌合される。
【００５２】
本実施形態では、キャップ周壁部５３は、容器本体部１４の上側筒部１５の外面に嵌合される。キャップ周壁部５３の内面には、周方向に延びる環状突出部５４が形成される。この環状突出部５４は、キャップ５０を上側筒部１５の外面に嵌合する際に、上側筒部１５に形成された係合突起部１６を乗り越えた状態になる。このため、キャップ５０を容器本体部１４に対して上方へ持ち上げると、環状突出部５４が係合突起部１６に接触してキャップ５０の抜脱を防止できる。また、キャップ５０を回転させると、環状突出部５４が係合突起部１６の下方を摺動しながら移動してキャップの回転が案内される。
【００５３】
キャップ５０は、図１、図５、図６（ａ）に示すように、内容器４０の複数の孔部４１ｂに対向配置されて内容器４０に収容される内容物を排出させる排出口５５と、排出口５５を開閉可能な蓋体５７と、を有する。本実施形態では、排出口５５は、平面視において内容器４０の頂板部４１ａと略同じ大きさで半円形状である。
【００５４】
蓋体５７は、キャップ５０の上板部５１の径方向一方側部分を構成する蓋体本体部５８と、蓋体本体部５８に繋がってキャップ周壁部５３の上側部分を構成する蓋体周壁部５９とを有する。蓋体本体部５８は、平面視においては半円形状である。蓋体本体部５８の直線部分は薄肉部５８ａを介してキャップ５０の上板部５１に繋がる。薄肉部５８ａはヒンジとして機能して、蓋体５７は、薄肉部５８ａを支点として上下方向に回動可能である。蓋体周壁部５９には径方向外側へ突出する指掛け部６０が形成される。
【００５５】
図６は、キャップの排出口と内容器の孔部との位置関係を示す振り出し容器の上側部分斜視図である。キャップ５０の排出口５５は、図６に示すように、キャップ５０の回動にともなって、複数の内容器４０のいずれかの上端部に形成された複数の孔部４１ｂに対向する第１位置Ｐ１（図６（ａ）参照）と、外容器１０内に周方向に隣接して配置された２つの内容器４０の夫々の上端部に形成された複数の孔部４１ｂに跨る第２位置Ｐ２、Ｐ２´（図６（ｂ）及び図６（ｃ）参照）に移動可能である。
【００５６】
キャップ周壁部５３及び容器本体部１４の上部外面のいずれか一方には、図４（ａ）及び図５に示すように、複数の突起部６１が設けられ、キャップ周壁部５３及び上部外面のいずれか他方には、突起部６１と係合して外容器１０に対してキャップ５０を所定位置に位置決めする係止部６５が設けられる。複数の突起部６１は、排出口５５を第１位置Ｐ１に位置決めする第１突起部６１ａと、排出口５５を第２位置Ｐ２、Ｐ２´に位置決めする第２突起部６１ｂ、６１ｃと、を有する。第２突起部６１ｂ、６１ｃは、排出口５５が周方向に隣接する２つの内容器４０の夫々の上端部に形成された複数の孔部４１ｂに対向する面積の割合が所定の割合になる第２位置Ｐ２、Ｐ２´に排出口５５を位置決めする。
【００５７】
本実施形態では、図４（ａ）に示すように、容器本体部１４の上側筒部１５の外面に係止部６５が突出して設けられる。係止部６５は、平面視において仕切板１２の延長方向と上側筒部１５とが交差する上側筒部１５の外面に設けられる。係止部６５は、上側筒部１５の外面に周方向に間隔を有して突出する２つの突出部６６を有する。２つの突出部６６間に突起部６１が位置して係止される。２つの突出部６６は、係合突起部１６の上方に位置する。
【００５８】
突起部６１は、図５に示すように、キャップ周壁部５３の内面に周方向に間隔を有して環状突出部５４よりも上方の位置に８個設けられる。図５には３つの環状突出部５４が示されている。突起部６１は先端部が円弧状に形成される。３つの突起部６１のうちの周方向他方側の端に位置する突起部６１（以下、第１突起部６１ａと記す。）は、平面視において、半円形状した排出口５５の直線部５５ａの端（図５紙面右側の端）がキャップ周壁部５３の内面と交差する位置に設けられる。
【００５９】
また、３つの突起部６１のうちの周方向中央に位置する突起部６１（以下、第２突起部６１ｂと記す。）は、平面視において、直線部５５ａが中心点Ｏを支点として周方向一方側へ約５４度回転させたときの直線部５５ａの先端がキャップ周壁部５３の内面と交差する位置に設けられる。
【００６０】
また、３つの突起部６１のうちの周方向一方側の端に位置する突起部６１（以下、第２突起部６１ｃと記す。）は、平面視において、直線部５５ａが中心点Ｏを支点として周方向一方側へ約９０度回転させたときの直線部５５ａの先端がキャップ周壁部５３の内面と交差する位置に設けられる。
【００６１】
このため、第１突起部６１ａが係止部６５に係止されると、図６（ａ）に示すように、排出口５５の全体が内容器４０の頂板部４１ａに対向して配置されて、頂板部４１ａに形成された複数の孔部４１ｂの全てが露出した状態になる。
【００６２】
また、平面視においてキャップ５０を時計方向に回転させて、第２突起部６１ｂが係止部６５に係止されると、図６（ｂ）に示すように、排出口５５の回転方向上流側（以下、「一方側」と記す）が内容器４０’の頂板部４１ａに対して頂板部４１ａの表面積の３割の割合で対向し、排出口５５の回転方向下流側（以下、「他方側」と記す）が内容器４０の頂板部４１ａに対して頂板部４１ａの表面積の７割の割合で対向する。
【００６３】
また、キャップ５０をさらに時計方向に回転させて、第２突起部６１ｃが係止部６５に係止されると、図６（ｃ）に示すように、排出口５５の一方側が内容器４０’の頂板部４１ａに対して頂板部４１ａの表面積の５割の割合で対向し、排出口５５の他方側が内容器４０の頂板部４１ａに対して頂板部４１ａの表面積の５割の割合で対向する。
【００６４】
なお、第２突起部６１ｃが係止部６５に係止された状態からキャップ５０をさらに時計方向に回転させると、排出口５５の一方側が内容器４０’の頂板部４１ａの表面積の７割の割合で対向するとともに、排出口５５の他方側が内容器４０の頂板部４１ａの表面積の３割の割合で対向する位置に、排出口５５が移動する。
さらに、キャップ５０を時計方向に回転させると、排出口５５の全体が内容器４０’の頂板部４１ａに対向して配置される位置に、排出口５５が移動する。
【００６５】
さらに、キャップ５０を時計方向に回転させると、排出口５５の一方側が内容器４０の頂板部４１ａの表面積の３割の割合で対向するとともに、排出口５５の他方側が内容器４０’の頂板部４１ａの表面積の７割の割合で対向する位置に、排出口５５が移動する。さらに、キャップ５０を時計方向に回転させると、排出口５５の一方側が内容器４０の頂板部４１ａに対して頂板部４１ａの表面積の５割の割合で対向し、排出口５５の他方側が内容器４０’の頂板部４１ａに対して頂板部４１ａの表面積の５割の割合で対向する。さらに、キャップ５０を時計方向に回転させると、排出口５５の一方側が内容器４０の頂板部４１ａの表面積の７割の割合で対向するとともに、排出口５５の他方側が内容器４０’の頂板部４１ａの表面積の３割の割合で対向する位置に、排出口５５が移動する。
【００６６】
要するに、排出口５５が一方の内容器４０の頂板部４１ａに対向する表面積の割合が、１０割→７割→５割→３割→０割と変化すると、他方の内容器４０’の頂板部４１ａに対向する表面積の割合が０割→３割→５割→７割→１０割に変化する。
【００６７】
このように、キャップ５０を回動させて複数の突起部６１のいずれかが係止部６５と係合することで、外容器１０に対してキャップ５０を所定位置（Ｐ１、Ｐ２、Ｐ２’）に容易に移動させることができる。また、複数の突起部６１は、排出口５５を第１位置Ｐ１に位置決めする第１突起部６１ａと、排出口５５を第２位置Ｐ２に位置決めする第２突起部６１ｂ、６１ｃと、を有する。このため、第１突起部６１ａが係止部６５に係合すると、排出口５５は第１位置Ｐ１に移動し、第２突起部６１ｂ、６１ｃが係止部６５に係合すると、排出口５５は第２位置Ｐ２に移動する。このため、排出口５５が第１位置Ｐ１及び第２位置Ｐ２への移動を容易にすることができる。
【００６８】
＜振り出し容器１の内容器交換方法＞
次に、振り出し容器１内に収容された内容器４０の交換方法について図１、図２、図３を参照しながら説明する。先ず、底蓋２２を外容器１０から取り外す。底蓋２２が取り外されると、容器本体部１４の下側筒部１７に形成された切欠き部１９が露出する。取り替えようとする内容器４０に対応する一対の切欠き部１９を介して内容器４０の下側を把持して容器本体部１４に対して内容器４０を下方へ移動させる。したがって、内容器４０は容器本体部１４から抜脱される。
【００６９】
次に、新しい内容器４０の頂板部４１ａが上方へ向いた姿勢で、新しい内容器４０を収容空間１０ｂ１内に挿入する。内容器４０の挿入時にはフランジ部４４ａを容器本体部１４の下端部に接触させる。次に、底蓋２２を容器本体部１４の下端部に螺合させて底蓋２２を容器本体部１４に装着する。底蓋２２を容器本体部１４に螺合する際には、底蓋２２の内面がフランジ部４４ａの外面に接触するように底蓋２２を容器本体部１４に螺合して、内容器４０の交換作業が終了する。なお、内容器４０の交換作業時に、内容物が無くなった内容器本体部４１に内容物を詰めて内容器蓋部４３を装着した内容器４０（以下、「詰め替えた内容器４０」と記す）を再利用してもよい。
【００７０】
＜本実施形態の作用・効果＞
（振り出し容器１の内容器４０を交換する場合）
内容器４０は、外容器１０内に着脱可能に装着されるの、内容器４０内に収容された内容物が無くなった場合には、この内容物が無くなった内容器４０を外容器１０から抜脱して、内容物が収容された新たな内容器４０又は詰め替えた内容器４０と交換することができる。すなわち、内容物が無くなった内容器４０のみを交換することができる。よって、内容器４０の交換時に、内容物が残っている内容器４０と同じ内容物が収容された内容器を用意する必要がなく、無駄のない交換が可能となる。
【００７１】
（振り出し容器１から異なる種類の調味料を吐出させる割合を変える場合）
第２突起部６１ｂ、６１ｃは、排出口５５が周方向に隣接する２つの内容器４０、４０’の夫々の上端部に形成された複数の孔部４１ｂに対向する面積の割合が所定の割合になる第２位置Ｐ２、Ｐ２’に排出口５５を位置決めする。このため、キャップ５０を回動させて、第２突起部６１ｂ、６１ｃを係止部６５に係合させると、２つの内容器４０、４０’の夫々の上端部に形成された複数の孔部４１ｂに対向する排出口５５の面積の割合を所定の割合にすることができる。よって、キャップ５０を回動させて排出口５５を第２位置に移動させることで、調味料を好きな割合で吐出させることができる。
【００７２】
以上、実施例に沿って本発明の構成とその作用効果について説明したが、本発明の実施の形態は上記実施例に限定されるものではない。例えば、前述した実施例では、外容器１０内に２つの内容器４０、４０’が収容された場合を示したが、内容器４０は、３個以上でもよい。この場合、仕切板１２は、平面視において放射状に延びる形状にする。また、前述した実施例では、第２位置Ｐ２、Ｐ２’は２つの場合を示したが、３つ以上でもよい。また、前述した実施例では、キャップのキャップ周壁部５３の内面に突起部６１が設けられ、外容器１０の上側筒部１５の外面に係止部６５が設けられた場合を示したが、キャップ周壁部５３の内面に係止部６５が設けられ、外容器１０の上側筒部１５の外面に突起部６１が設けられてもよい。
【００７３】
また、前述した実施形態では、内容器４０内の内容物が無くなった場合に内容器４０を交換する場合を説明したが、これに限るものではない。たとえば、多数の種類の調味料がある場合、これらの調味料のいずれかを選択し、選択した調味料を収容した内容器４０を外容器１０内に装着してもよい。また、外容器１０内に装着されている内容器４０に替えて選択した調味料を収容した内容器４０と交換してもよい。
【００７４】
また、前述した実施形態では、キャップ５０に１つの蓋体５７が設けられた場合を示したが、キャップ５０に２つの蓋体５７が設けられてもよい。この場合には、キャップ５０の上板部５１の径方向両側に平面視おいて半円形状の蓋体５７を設ける。このようにすると、蓋体７５の選択によって、一方の内容器４０に収容された調味料と他方の内容器４０’に収容された調味料とを吐出させたときの混合割合を容易に変えることができる。
【産業上の利用可能性】
【００７５】
本発明の振り出し容器は、内容器を容易に交換可能なものであり、調味料や振りかけ等の容器の分野で幅広い展開が期待される。
【符号の説明】
【００７６】
１  振り出し容器
１０  外容器
１０ａ  上側開口部
１０ｂ  収容空間部
１０ｂ１、１０ｂ２  収容空間
１０ｃ、４１ｃ  下側開口部
１４  容器本体部
１４ａ  側壁
１５  上側筒部
１６  係合突起部
１７  下側筒部
１８  雄ねじ部
１９  切り欠き部
２２  底蓋
２２ａ  底板部
２２ｂ  底蓋周壁部
２３  雌ねじ部
４０、４０’  内容器
４１  内容器本体部
４１ａ  頂板部
４１ｂ  孔部
４１ｄ  側面
４３  内容器蓋部
４４  蓋部本体
４４ａ  フランジ部
５０  キャップ
５１  上板部
５３  キャップ周壁部
５４  環状突出部
５５  排出口
５５ａ  直線部
５７  蓋体
５８  蓋体本体部
５８ａ  薄肉部
５９  蓋体周壁部
６０  指かけ部
６１  突起部
６１ａ  第１突起部
６１ｂ、６１ｃ  第２突起部
６５  係止部
６６  突出部
Ｊ  容器軸
Ｐ１  第１位置
Ｐ２、Ｐ２’  第２位置
【図１】
2020104900.tif 000003
【図２】
2020104900.tif 000004
【図３】
2020104900.tif 000005
【図４】
2020104900.tif 000006
【図５】
2020104900.tif 000007
【図６】
2020104900.tif 000008